(57)【要約】      （修正有）【課題】携帯電話機の使用禁止場所において、携帯電話機を使用できなくするとともに、携帯電話機の着信音を完全に遮断することができる携帯電話電波遮断ロッカを提供する。【解決手段】内部に収容空間を有し、一側面が開口した金属製のロッカ筐体と、該ロッカ筺体に配設され、前記開口を開閉する扉体と、前記ロッカ筺体の開口部近傍で、該ロッカ筺体の内周面に形成されたロッカ筺体前面凹部と、導電性を有する材料からなる電波遮断部材と、を備え、該扉体の裏面は、前記扉体が閉じられた状態で、前記電波遮断部材を介して前記ロッカ筺体前面凹部と接する。【選択図】図２
2010206360.tif 000002
【特許請求の範囲】
【請求項１】
携帯電話機から送信される電波を遮断する携帯電話電波遮断ロッカにおいて、
内部に収容空間を有し、一側面が開口した金属製のロッカ筐体と、
該ロッカ筺体に配設され、前記開口を開閉する金属製の扉体と、
前記ロッカ筺体の開口部近傍で、該ロッカ筺体の内周面に形成されたロッカ筺体前面凹部と、
導電性を有する材料からなる電波遮断部材と、を備え、
該扉体の裏面は、前記扉体が閉じられた状態で、前記電波遮断部材を介して前記ロッカ筺体前面凹部と接することを特徴とする携帯電話電波遮断ロッカ。
【請求項２】
前記ロッカ筺体は、スチール製であることを特徴とする請求項１記載の携帯電話電波遮断ロッカ。
【請求項３】
前記電波遮断部材は、ナイロンの表面にニッケルが被覆された導電性部材を、ウレタンスポンジからなる芯材の表面に被覆して成ることを特徴とする携帯電話電波遮断ロッカ。
【請求項４】
前記ロッカ筺体は、メラミン樹脂で被覆されていることを特徴とする請求項１記載の携帯電話電波遮断ロッカ。
【請求項５】
前記扉体には、該扉体の施錠状態を保持するための施錠装置が設けられ、
前記ロッカ筺体の内部空間と前記施錠装置とは、前記扉体が閉じられた状態で、前記扉体の裏面板より隙間なく仕切られていることを特徴とする請求項１記載の携帯電話電波遮断ロッカ。
【請求項６】
前記扉体の施錠状態が保持されているときに施錠状態であることを知らせる報知手段を、さらに設けたことを特徴とする請求項４記載の携帯電話電波遮断ロッカ。
【発明の詳細な説明】
【技術分野】
【０００１】
本発明は、  携帯電話機から送信される電波を遮断する携帯電話電波遮断ロッカに関する。
【背景技術】
【０００２】
従来より、携帯電話機の使用を制限する場所においては、電源を切ったり、マナーモードすることが一般的であるが、多数の人が集合する場所では、電源を切り忘れたりする人は少なからずおり、完全に携帯電話機の使用を制限することは困難であった。そのため、アルミ箔のフィルムを三層使用しプラスチックフィルムと共にラミネート加工し、そのラミネートされたフィルムを用いた包装袋に合成樹脂製の一対の嵌合凸条と嵌合凹条とを用いることにより、携帯電話機の通信を遮断する包装袋が提案されていた（たとえば、特許文献１）。
【先行技術文献】
【特許文献】
【０００３】
【特許文献１】登録実用新案第３１４６４９７号
【発明の概要】
【発明が解決しようとする課題】
【０００４】
しかしながら、特許文献１のように包装袋に携帯電話機を入れて着信音を防止する方法では、携帯電話機を包装袋に入れるか入れないかは利用者の意思に任され、たとえば、コンサートなどの携帯電話使用場所では袋に入れないで携帯電話機を使用する観客も予想される。
【０００５】
また、携帯電話機には、録音機能、写真機能やメール機能を付加したものが多く、たとえば、録音機能が付加された携帯電話機を用いて秘密会議など録音禁止場所で会話を録音したり、写真機能が付加された携帯電話機を用いて美術館などの撮影禁止場所で写真撮影したり、メール機能が付加された携帯電話機を用いて入学試験などの問題を送信し解答を受信するといった不正行為が行われることが問題となっている。
【０００６】
さらに近年、遠距離の学校まで通学する私立小学生や私立中学生が多くなり、通学途上の危険や犯罪などに巻き込まれることを防止するために、学校で携帯電話の所持を認めている学校も増えてきているが、学校で携帯電話を用いてメールのやり取りをしたり、ゲームをしたりすることが問題になっている。
【０００７】
このように、携帯電話は生活には欠かせないものになっているが、その半面本来使用してはならないところなどで携帯電話を使用する問題が多く発生していることから、携帯電話の使用禁止場所では、携帯電話を利用者の手から離して別の保管場所で保管せざるを得ないが、ロッカなどの保管場所で保管するとしても電源をＯＮにして保管する人も予想され、携帯電話の着信音を防止するために何らかの措置が必要であった。
【０００８】
本発明は、上記課題に鑑みなされたものであって、携帯電話機の使用禁止場所において携帯電話機が使用できなくするとともに、携帯電話機の着信音を完全に遮断することができる携帯電話電波遮断ロッカを提供することを目的とする。
【課題を解決するための手段】
【０００９】
上記課題を解決し上記目的を達成するために、本発明のうち第１の態様に係るものは、内部に収容空間を有し、一側面が開口した金属製のロッカ筐体と、該ロッカ筺体に配設され、開口を開閉する金属製の扉体と、ロッカ筺体の開口部近傍で、該ロッカ筺体の内周面に形成されたロッカ筺体前面凹部と、導電性を有する材料からなる電波遮断部材と、を備え、該扉体の裏面は、扉体が閉じられた状態で、電波遮断部材を介してロッカ筺体前面凹部と接することを特徴とする。
【００１０】
携帯電話機の使用を完全に禁止するためには、通常別の場所で保管することになるが、別の場所で保管した場合でも携帯電話機が着信した場合には着信音がなる。この場合、携帯電話機の電源を切れば問題はないが、電源を切り忘れたりする人は少なからずおり、この場合、ロッカ内から着信音が鳴り響くことになる。本発明によれば、ロッカ筺体が金属製なので、外部から発せられた携帯電話の電波が遮断され、ロッカ筺体の内部まで届くことはない。さらに、扉体の裏面が電波遮断部材を介してロッカ筺体前面凹部と接するようにしているので、外部から発せられた携帯電話の電波が扉体とロッカ筺体との隙間からロッカ筺体内部に入ることがない。これにより、たとえロッカ内に収納された携帯電話機の電源がＯＮであっても着信音が鳴り響くことを防止することができる。
【００１１】
本発明のうち第２の態様に係るものは、第１の態様に係る携帯電話電波遮断ロッカであって、ロッカ筺体は、スチール製であることを特徴とする。
【００１２】
本発明によれば、ロッカ筺体がスチール製であるので、携帯電話の電波を遮断することができるとともに、十分な強度の確保することができる。
【００１３】
本発明のうち第３の態様に係るものは、第１の態様に係る携帯電話電波遮断ロッカであって、電波遮断部材は、ナイロンの表面にニッケルが被覆された導電性部材を、ウレタンスポンジからなる芯材の表面に被覆して成ることを特徴とする。
【００１４】
本発明によれば、電波遮断部材が、ナイロンの表面にニッケルが被覆された導電性部材をウレタンスポンジからなる芯材の表面に被覆して生成しているので、扉体が閉じた状態では、弾力性のあるウレタンスポンジが圧縮され、完全に扉体とロッカ筺体の隙間を閉ざすことができる。また、電波遮断部材が、ナイロンの表面にニッケルが被覆された導電性部材からなるので、外部から発せられた携帯電話の電波がロッカ筺体内部に入ることを完全に防止することができる。
【００１５】
本発明のうち第４の態様に係るものは、第１の態様に係る携帯電話電波遮断ロッカであって、ロッカ筺体は、メラミン樹脂で被覆されていることを特徴とする。
【００１６】
本発明によれば、ロッカ筺体が電波透過性に優れているメラミン樹脂で被覆されているので、電波を透過しながら内部の金属を錆などから保護することができる。
【００１７】
本発明のうち第５の態様に係るものは、第１の態様に係る携帯電話電波遮断ロッカであって、扉体には、扉体の施錠状態を保持するための施錠装置が設けられ、ロッカ筺体の内部空間と施錠装置とは、扉体が閉じられた状態で、扉体の裏面板より隙間なく仕切られていることを特徴とする。
【００１８】
本発明によれば、ロッカ筺体の内部空間と施錠装置とが、扉体が閉じられた状態で、扉体の裏面板より隙間なく完全に仕切られているので、施錠装置を設けた場合でも、外部から発せられた携帯電話の電波がロッカ筺体の内部空間に入ることを完全に防止することができる。
【００１９】
本発明のうち第６の態様に係るものは、第１〜５のいずれかの態様に係る携帯電話電波遮断ロッカであって、扉体の施錠状態が保持されているときに施錠状態であることを知らせる報知手段を、さらに設けたことを特徴とする。
【００２０】
本発明によれば、施錠状態であることを知らせる報知手段が設けられているので、利用者は、鍵が施錠されて施錠状態のロッカを容易に判断することができ、利用者は施錠状態にない使用されていないロッカを使用することができる。
【発明の効果】
【００２１】
本発明によれば、携帯電話の使用禁止場所において携帯電話の使用ができなくなるとともに、携帯電話の着信音を完全に遮断することができる。
【図面の簡単な説明】
【００２２】
【図１】本発明の一実施形態における携帯電話電波遮断ロッカの外観斜視図である。
【図２】同携帯電話電波遮断ロッカの扉体を開放した状態を示す図である。
【図３】本発明の一実施形態におけるロッカ筺体の正面図である
【図４】図３のA−A断面を示す図である。
【図５】（ａ）ロッカ筺体に貼付された電波遮断部材の外観図である。          （ｂ）図５（ａ）のＢ−Ｂ断面を示す図である。
【図６】本発明の一実施形態における携帯電話電波遮断ロッカの使用構成を示す図である。
【発明を実施するための形態】
【００２３】
本発明の携帯電話電波遮断ロッカについて図面を参照にしながら説明する。図１は、本発明の一実施形態における携帯電話電波遮断ロッカの外観斜視図であり、図２は、本発明の一実施形態における携帯電話電波遮断ロッカの扉体を開放した状態を示す図であり、図３は、本発明の一実施形態におけるロッカ筺体の正面図であり、図４は、図３のA―A断面を示す図である。
【００２４】
携帯電話電波遮断ロッカ１は、携帯電話機から送信される電波が内部空間に入らないように電波を遮断するロッカで、内部に収容空間（内部空間）２を有し、一側面が開口したロッカ筺体３と、該ロッカ筺体３の開口部４に配設され、開口部４を開閉する扉体５とを有している。
【００２５】
ロッカ筺体３は、スチール製で、下方に配置する板状の底板と、側方に配置する３枚の側板と、上方に配置する天板を溶接などで一体化させ、内部に収容空間２を形成している。そして、内部の収容空間２には、前面の開口部４から携帯電話などの物品を収納することができる。ロッカ筺体３の金属の表面は、メラミン樹脂で被覆（メッキ）されている。このメラミン樹脂は、電波透過性に優れているので、電波を透過しながら内部の金属を錆などから保護することができる。なお、本実施形態のロッカ筺体３は、スチール製で製造しているが、これに限らず、電波を遮断できる金属であれば、他の金属であってもよい。
【００２６】
扉体５は、金属製（たとえば、スチール製）で、表面に配置する表面板１００と、裏面に配置する裏面板１０１と、４枚の側面板を溶接などで一体化させ、内部に内部空間（図示略）を形成している。そして、一端が開口部４の縁部に設けられたヒンジ（図示略）に回転自在に枢着され、ヒンジ（図示略）に設けられたばね（図示略）により閉扉方向に付勢されている。これにより、扉体５はヒンジ（図示略）に枢着された一端を中心として垂直軸回りに回転可能となり、さらに利用者がロッカ筺体３の収容空間２内に携帯電話などの物品を収納した後扉体５を手放すと、扉体５は自動的に閉扉状態となる。なお、本実施形態では、ヒンジ（図示略）にばね（図示略）を設けた態様で説明したが、これに限らず、ばねを設けない態様であってもよい。また、本実施形態では、扉体５を開口部４の縁部に設けたヒンジ（図示略）に回転自在に枢着させたが、これに限らず、蓋体４がロッカ筺体３に回転自在に係止されるものであれば、その構成を問わない。また、本実施形態の扉体５３は、スチール製で製造しているが、これに限らず、電波を遮断できる金属であれば、他の金属であってもよい。
【００２７】
扉体５の他端には、扉体５の施錠するための鍵（施錠装置）６が設けられている。利用者は、ロッカ筺体３の収容空間２内に携帯電話などの物品を収納して扉体５を閉め、携帯電話電波遮断ロッカ１に付属される操作鍵（図示略）を鍵穴に挿入して施錠動作を行うことにより、扉体５が施錠される。また、扉体５には施錠状態が保持されていることを利用者などに知らせる施錠ランプ（報知手段）７が設けられとている。これにより、利用者は扉体５が施錠されて施錠状態であることを容易に判断することができる。
【００２８】
この鍵６は、蓋体５の表面板１００と裏面板１０１と４枚の側面板により形成された内部空間に収容され、扉体５が閉じられた状態で、蓋体５の裏面板により鍵６が収納されている扉体５の内部空間とロッカ筺体３の収容空間２とが完全に仕切られている。これにより、鍵６を設けてもロッカ筺体３の収容空間２から外部に向かう空間が隙間なく完全に閉ざすことができる。
【００２９】
また、ロッカ筺体３の開口部４の近傍には、ロッカ筺体３の内周面に形成されたロッカ筺体前面凹部８が設けられ、このロッカ筺体前面凹部８に扉体５が入り込んだ状態で閉鎖されることにより、扉体５の前面がロッカ筺体３の外周面と同一レベルとなり、扉体５の閉鎖性が良好になる。
【００３０】
ロッカ筺体前面凹部８には、導電性を有する材料からなる電波遮断部材９が貼付されている。そして、扉体５が閉じられると、扉体５の裏面がロッカ筺体前面凹部８に貼付された電波遮断部材９を圧縮しながら、電波遮断部材９を介してロッカ筺体前面凹部８と接する。これにより、ロッカ筺体３の収容空間２から外部に向かう空間が、扉体５の裏面とロッカ筺体前面凹部８の間に配した電導性を有する電波遮断部材９により隙間なく閉ざされる。なお、本実施形態では、ロッカ筺体前面凹部８に電波遮断部材９を貼付させたが、これに限らず、扉体５が閉じた状態で、電波遮断部材９が接する扉体９の位置に電波遮断部材９を貼付させてもよい。この場合でも、扉体５と閉じた状態で、扉体５の裏面が、電波遮断部材９を介してロッカ筺体前面凹部８と接することになり、ロッカ筺体前面凹部８に電波遮断部材９を貼付させた場合と同様の効果を有する。  
【００３１】
次に、ロッカ筺体前面凹部８に貼付された電波遮断部材について詳細に説明する。図５（ａ）は、ロッカ筺体に貼付された電波遮断部材の外観図であり、図５（ｂ）は、図５（ａ）のＢ−Ｂ断面を示す図である。
【００３２】
電波遮断部材９は、ナイロン（ナイロン系樹脂）の表面にニッケルが被覆（メッキ）された導電性部材１０を、ウレタンスポンジ（ウレタンフォーム）からなる芯材１１の表面に被覆して構成されている。このように、扉体５が閉じた状態では、弾力性のあるウレタンスポンジが圧縮され完全に扉体５とロッカ筺体３の隙間を閉ざすことができる。また、電波遮断部材９が、ナイロンの表面にニッケルが被覆された導電性部材１０からなるので、外部から発せられた携帯電話の電波がロッカ筺体３内部に入ることを完全に防止することができる。なお、本実施形態では、電波遮断部材９を、ナイロンの表面にニッケルを被覆させた導電性部材１０を、ウレタンスポンジからなる芯材１１の表面に被覆して構成させたが、これに限らず、携帯電話の電波を遮断できるものであれば、他の材料からなるものであってもよい。
【００３３】
次に、本発明の携帯電話電波遮断ロッカ１の使用構成について説明する。図６は、本発明の一実施形態における携帯電話電波遮断ロッカの使用構成を示す図である。
【００３４】
携帯電話電波遮断ロッカ１を使用する場合には、縦横にそれぞれ複数個の携帯電話電波遮断ロッカ１を配置させて１つのロッカ装置１２を構成させる。この場合、それぞれの携帯電話電波遮断ロッカ１のロッカ筺体３は、隣合う他の携帯電話電波遮断ロッカ１のロッカ筺体３と溶接などで一体化させている。なお、本実施形態では、一の携帯電話電波遮断ロッカ１のロッカ筺体３が隣合う他の携帯電話電波遮断ロッカ１のロッカ筺体３と溶接などで一体化させるように構成させたが、これに限らず、たとえば、溶接を用いずに一の携帯電話電波遮断ロッカ１のロッカ筺体３と隣合う他の携帯電話電波遮断ロッカ１のロッカ筺体３を一体的に構成してもよい。
【００３５】
次に、本発明の携帯電話電波遮断ロッカ１の動作について説明する。利用者が携帯電話電波遮断ロッカ１の扉体５を開けると、開口部４から収容空間２に携帯電話を入れることができる。この際、収容空間２に入れる携帯電話の電源スイッチは、ＯＮになっていてもＯＦＦになっていても構わない。
【００３６】
携帯電話が携帯電話電波遮断ロッカ１の収容空間２に入れられると、利用者は扉体４を閉める。ここで、扉体４が閉じられても、通常ロッカ筺体３と扉体５の間に僅かな隙間が存在するが、本実施形態の携帯電話電波遮断ロッカ１では、ロッカ筺体３の開口部４近傍でロッカ筺体３の内周面にロッカ筺体前面凹部８が形成され、そのロッカ筺体前面凹部８に電波遮断部材９が貼付され、扉体５が閉まった状態で、扉体５の裏面がその電波遮断部材９を介してロッカ筺体前面凹部８と接する構成なので、外部から発せられた携帯電話の電波が扉体５とロッカ筺体３との隙間からロッカ筺体３の収容空間２に入ることがない。しかも、ロッカ筺体３および蓋体４がスチール製なので、外部から発せられた携帯電話の電波が遮断され、ロッカ筺体３の収容空間まで届くことはない。これにより、たとえロッカ内に収納された携帯電話機の電源がＯＮであっても着信音が鳴り響くことを防止することができる。またロッカ筺体３は、電波透過性に優れているメラミン樹脂で被覆（メッキ）されている。これにより、電波を透過しながら内部の金属を錆などから保護することができる。
【００３７】
扉体４が閉められると、鍵（施錠装置）６により扉体５が施錠される。これにより、施錠状態が保持されることとなる。この際、鍵（施錠装置）６が扉体４の内部空間に収容され、鍵（施錠装置）が収容されている空間とロッカ筺体３の内部空間６とが、扉体４の裏面板より隙間なく仕切られている。これにより、鍵（施錠装置）６が設けられた携帯電話電波遮断ロッカ１でも、外部から発せられた携帯電話の電波がロッカ筺体３の内部空間に入ることはない。
【００３８】
以上に開示された実施の形態はあらゆる点において代表的な例を示すものであり、何ら制限的なものではないと考慮されるべきである。本発明の範囲は上記した実施形態のみによらず、特許請求の範囲によって示されるものであり、特許請求の範囲と均等の意味及び範囲内でのすべての変更が含まれることが意図される。
【符号の説明】
【００３９】
１    携帯電話電波遮断ロッカ
２    収容空間
３    ロッカ筺体
４    開口部
５    扉体
６    鍵（施錠装置）
７    施錠ランプ（報知手段）
８    ロッカ筺体前面凹部
９    電波遮断部材
１０  導電性部材
１１  芯材
１２  ロッカ装置
１００  表面板
１０１  裏面板
【図１】
2010206360.tif 000003
【図２】
2010206360.tif 000004
【図３】
2010206360.tif 000005
【図４】
2010206360.tif 000006
【図５】
2010206360.tif 000007
【図６】
2010206360.tif 000008